(57)【要約】【課題】  被記録媒体が記録ヘッドと対向するプラテンに設けられたインク吸収材と接触することにより被記録媒体が汚損されることを防止すること。【解決手段】  記録装置１００は、プラテン１０５に設けられ、インクを吸収可能なインク吸収材２２５と、前記プラテン内であって、記録ヘッド１０６と前記プラテン１０５とが対向する方向Ｚにおいて、前記インク吸収材２２５より前記記録ヘッド側へ突出する第１リブ（２２３）と、前記第１リブ（２２３）と搬送方向Ｙにおいて離間する第２リブ（２２４）と、前記対向する方向Ｚにおいて、前記インク吸収材２２５と前記第１リブ（２２３）の頂部２２３ｂとの間に位置し、搬送方向Ｙにおいて、前記第１リブ（２２３）と前記第２リブ（２２４）との間に延設された線状部材２３０と、を備えることを特徴とする。【選択図】図４
2008246750.tif 000002
【特許請求の範囲】
【請求項１】
記録ヘッドと対向し、搬送される被記録媒体を支持するプラテンと、
該プラテン内に設けられ、インクを吸収可能なインク吸収材と、
前記プラテン内であって、搬送方向において、前記記録ヘッドに形成されたノズル開口列の範囲内に形成され、前記記録ヘッドと前記プラテンとが対向する方向において、前記インク吸収材より前記記録ヘッド側へ突出する第１リブと、
前記プラテン内であって、前記第１リブと搬送方向において離間する第２リブと、
前記記録ヘッドと前記プラテンとが対向する方向において、前記インク吸収材と前記第１リブの頂部との間に位置し、搬送方向において、前記第１リブと前記第２リブとの間に延設された線状部材と、を備える記録装置。
【請求項２】
記録ヘッドと対向し、搬送される被記録媒体を支持するプラテンと、
該プラテン内に設けられ、インクを吸収可能なインク吸収材と、
前記プラテン内であって、搬送方向において、前記記録ヘッドに形成されたノズル開口列の範囲内に形成され、前記記録ヘッドと前記プラテンとが対向する方向において、前記インク吸収材より前記記録ヘッド側へ突出する第１リブと、
前記プラテン内であって、前記第１リブと搬送方向において離間する第２リブと、
前記プラテン内であって、前記第１リブと搬送方向において離間する第３リブと、
前記記録ヘッドと前記プラテンとが対向する方向において、前記インク吸収材と前記第１リブの頂部との間に位置し、搬送方向において、前記第３リブと前記第２リブとの間に延設された線状部材と、を備える記録装置。
【請求項３】
請求項１または２に記載の記録装置において、前記第２リブの搬送方向上流側には、搬送方向下流側に向かって徐々に前記インク吸収材側から前記記録ヘッド側へ隆起するように傾斜した傾斜部が設けられ、
前記線状部材は、前記記録ヘッドと前記プラテンとが対向する方向において、前記第２リブの搬送方向上流端と、前記第１リブの頂部との間に設けられている記録装置。
【請求項４】
請求項１乃至３のいずれか１項に記載の記録装置において、前記線状部材は、搬送される被記録媒体の幅方向において、被記録媒体の両側側端の内側に位置し、該両側側端を搬送方向下流側へ案内可能に設けられている記録装置。
【請求項５】
請求項４に記載の記録装置において、前記線状部材は、２本一組に隣接して設けられている記録装置。
【請求項６】
請求項５に記載の記録装置において、前記２本一組の線状部材の一方は、前記記録ヘッドと前記プラテンとが対向する方向において、他方と異なる位置に設けられている記録装置。
【請求項７】
被液体噴射媒体が載置される載置部と、
載置された被液体噴射媒体を給送する給送部と、
該給送部から給送された被液体噴射媒体に液体噴射ヘッドにより液体を噴射する液体噴射部と、
被液体噴射媒体を排出する排出部と、を備えた液体噴射装置であって、
前記液体噴射部は、
前記液体噴射ヘッドと対向し、搬送される被液体噴射媒体を支持するプラテンと、
該プラテン内に設けられ、液体を吸収可能な液体吸収材と、
前記プラテン内であって、搬送方向において、前記液体噴射ヘッドに形成されたノズル開口列の範囲内に形成され、前記液体噴射ヘッドと前記プラテンとが対向する方向において、前記液体吸収材より前記液体噴射ヘッド側へ突出する第１リブと、
前記プラテン内であって、前記第１リブと搬送方向において離間する第２リブと、
前記液体噴射ヘッドと前記プラテンとが対向する方向において、前記液体吸収材と前記第１リブの頂部との間に位置し、搬送方向において、前記第１リブと前記第２リブとの間に延設された線状部材と、を備える液体噴射装置。
【請求項８】
被液体噴射媒体が載置される載置部と、
載置された被液体噴射媒体を給送する給送部と、
該給送部から給送された被液体噴射媒体に液体噴射ヘッドにより液体を噴射する液体噴射部と、
被液体噴射媒体を排出する排出部と、を備えた液体噴射装置であって、
前記液体噴射部は、
前記液体噴射ヘッドと対向し、搬送される被液体噴射媒体を支持するプラテンと、
該プラテン内に設けられ、液体を吸収可能な液体吸収材と、
前記プラテン内であって、搬送方向において、前記液体噴射ヘッドに形成されたノズル開口列の範囲内に形成され、前記液体噴射ヘッドと前記プラテンとが対向する方向において、前記液体吸収材より前記液体噴射ヘッド側へ突出する第１リブと、
前記プラテン内であって、前記第１リブと搬送方向において離間する第２リブと、
前記プラテン内であって、前記第１リブと搬送方向において離間する第３リブと、
前記液体噴射ヘッドと前記プラテンとが対向する方向において、前記液体吸収材と前記第１リブの頂部との間に位置し、搬送方向において、前記第３リブと前記第２リブとの間に延設された線状部材と、を備える液体噴射装置。
【発明の詳細な説明】
【技術分野】
【０００１】
本発明は、記録ヘッドと対向し、搬送される被記録媒体を支持するプラテンと、該プラテン内に設けられ、インクを吸収可能なインク吸収材と、を備える記録装置および液体噴射装置に関する。
【０００２】
ここで、液体噴射装置とは、液体噴射ヘッドとしての記録ヘッドから記録紙等の被記録材へインクを噴射して被記録材への記録を実行するインクジェット式記録装置、複写機及びファクシミリ等の記録装置に限らず、インクに代えて特定の用途に対応する液体を前述した記録ヘッドに相当する液体噴射ヘッドから、被記録材に相当する被噴射材に噴射して、液体を被噴射材に付着させる装置を含む意味で用いる。また、液体噴射ヘッドとしては、前述した記録ヘッド以外に、液晶ディスプレイ等のカラーフィルタ製造に用いられる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料を噴射する試料噴射ヘッド等が挙げられる。  
また、記録装置には、インクジェットプリンタ、ワイヤドットプリンタ、レーザープリンタ、ラインプリンタ、複写機、ファクシミリ等の種類が含まれるものとする。
【背景技術】
【０００３】
従来では、記録装置は、搬送された用紙に対してインクを吐出して記録を実行する記録ヘッドと、該記録ヘッドと対向する位置で用紙を下方から支持するプラテンと、該プラテン内にインクを吸収するインク吸収材と、を備えていた。そして、用紙の搬送方向下流端である先端および上流端である後端の縁まで記録を実行するために、プラテンにおける前記記録ヘッドのノズル開口列の範囲において、搬送方向上流側および下流側のリブと離間した菱形のダイヤモンドリブが設けられている（例えば、特許文献１）。
【０００４】
そして、用紙の先端を記録するとき、用紙の先端を、搬送方向において前記ダイヤモンドリブと下流側リブとの間まで搬送し、用紙の先端および前記ダイヤモンドリブと下流側リブとの間のインク吸収材へ向かってインクを吐出して縁無し記録を実行していた。  
一方、用紙の後端を記録するとき、用紙の後端を、搬送方向において前記ダイヤモンドリブと上流側リブとの間まで搬送し、用紙の後端および前記ダイヤモンドリブと上流側リブとの間のインク吸収材へ向かってインクを吐出して縁無し記録を実行していた。
【特許文献１】特開２００６-０６２３０９号公報
【発明の開示】
【発明が解決しようとする課題】
【０００５】
しかしながら、前記ダイヤモンドリブと下流側リブとの間には、用紙の幅方向における用紙が通過する全範囲において、用紙の端より外側へ打ち捨てられたインクを吸収するために前記インク吸収材が現れている。従って、用紙の先端が垂れ下がった場合、用紙の先端が、前記インク吸収材と接触し汚損される虞が生じる。
【０００６】
本発明は、このような状況に鑑み成されたものであり、その課題は、被記録媒体が記録ヘッドと対向するプラテンに設けられたインク吸収材と接触することにより被記録媒体が汚損されることを防止する記録装置および液体噴射装置を提供することである。
【課題を解決するための手段】
【０００７】
上記課題を達成するため、本発明の第１の態様の記録装置は、記録ヘッドと対向し、搬送される被記録媒体を支持するプラテンと、該プラテン内に設けられ、インクを吸収可能なインク吸収材と、前記プラテン内であって、搬送方向において、前記記録ヘッドに形成されたノズル開口列の範囲内に形成され、前記記録ヘッドと前記プラテンとが対向する方向において、前記インク吸収材より前記記録ヘッド側へ突出する第１リブと、前記プラテン内であって、前記第１リブと搬送方向において離間する第２リブと、前記記録ヘッドと前記プラテンとが対向する方向において、前記インク吸収材と前記第１リブの頂部との間に位置し、搬送方向において、前記第１リブと前記第２リブとの間に延設された線状部材と、を備えていることを特徴とする。
【０００８】
本発明の第１の態様によれば、前記記録装置は、前記記録ヘッドと前記プラテンとが対向する方向において、前記インク吸収材と前記第１リブの頂部との間に位置し、搬送方向において、前記第１リブと前記第２リブとの間に延設された線状部材を備えている。即ち、前記線状部材を、搬送方向において、前記第１リブと前記第２リブとの間を、橋渡しをするように設けることができる。
【０００９】
従って、被記録媒体が、前記記録ヘッドと前記プラテンとが対向する方向において、前記インク吸収材側へ垂れ下がった場合であっても、被記録媒体が、前記インク吸収材と接触する虞がない。その結果、被記録媒体が、前記インク吸収材によって汚損される虞がない。  
例えば、被記録媒体に前記記録ヘッドから吐出されたインクが付着することによって、被記録媒体が、前記インク吸収材側へ垂れ下がった場合に非常に有効である。
【００１０】
本発明の第２の態様の記録装置は、記録ヘッドと対向し、搬送される被記録媒体を支持するプラテンと、該プラテン内に設けられ、インクを吸収可能なインク吸収材と、前記プラテン内であって、搬送方向において、前記記録ヘッドに形成されたノズル開口列の範囲内に形成され、前記記録ヘッドと前記プラテンとが対向する方向において、前記インク吸収材より前記記録ヘッド側へ突出する第１リブと、前記プラテン内であって、前記第１リブと搬送方向において離間する第２リブと、前記プラテン内であって、前記第１リブと搬送方向において離間する第３リブと、前記記録ヘッドと前記プラテンとが対向する方向において、前記インク吸収材と前記第１リブの頂部との間に位置し、搬送方向において、前記第３リブと前記第２リブとの間に延設された線状部材と、を備えていることを特徴とする。
【００１１】
本発明の第２の態様によれば、前記記録装置は、前記記録ヘッドと前記プラテンとが対向する方向において、前記インク吸収材と前記第１リブの頂部との間に位置し、搬送方向において、前記第３リブと前記第２リブとの間に延設された線状部材を備えている。即ち、前記線状部材を、搬送方向において、前記第３リブと前記第２リブとの間を、橋渡しをするように設けることができる。  
従って、上記第１の態様と同様の作用効果を得ることができる。
【００１２】
本発明の第３の態様は、第１または第２の態様において、前記第２リブの搬送方向上流側には、搬送方向下流側に向かって徐々に前記インク吸収材側から前記記録ヘッド側へ隆起するように傾斜した傾斜部が設けられ、前記線状部材は、前記記録ヘッドと前記プラテンとが対向する方向において、前記第２リブの搬送方向上流端と、前記第１リブの頂部との間に設けられていることを特徴とする。
【００１３】
本発明の第３の態様によれば、第１または第２の態様と同様の作用効果に加え、前記線状部材は、前記記録ヘッドと前記プラテンとが対向する方向において、前記第２リブの搬送方向上流端と、前記第１リブの頂部との間に設けられている。従って、被記録媒体の搬送方向下流側である先端が、前記第２リブの搬送方向上流側で引っ掛かる虞がない。その結果、被記録媒体が搬送経路に詰まって記録装置が停止する所謂、ジャムが生じる虞がない。
【００１４】
本発明の第４の態様は、第１から第３のいずれか一の態様において、前記線状部材は、搬送される被記録媒体の幅方向において、被記録媒体の両側側端の内側に位置し、該両側側端を搬送方向下流側へ案内可能に設けられていることを特徴とする。
【００１５】
本発明の第４の態様によれば、第１から第３のいずれか一の態様と同様の作用効果に加え、前記線状部材は、搬送される被記録媒体の幅方向において、被記録媒体の両側側端の内側に位置し、該両側側端を搬送方向下流側へ案内可能に設けられている。従って、被記録媒体の側端の引っ掛かりおよび前記インク吸収材との接触による汚れを防止することができる。  
特に、被記録媒体の搬送方向下流端である先端が、引っ掛かることおよび前記接触により汚損されることを防止することができる。前記記録ヘッドから吐出されたインクが付着することによって、被記録媒体がカールしやすい場合に非常に有効である。
【００１６】
本発明の第５の態様は、第４の態様において、前記線状部材は、２本一組に隣接して設けられていることを特徴とする。  
本発明の第５の態様によれば、第４の態様と同様の作用効果に加え、前記線状部材は、２本一組に隣接して設けられている。従って、前記線状部材において、前記記録ヘッド側に付着したインクを、２本一組に隣接することによって生じる毛細管現象により、前記記録ヘッド側から退避移動させることができる。その結果、前記線状部材は、被記録媒体が該線状部材と接触することによって汚損される虞を低減することができる。
【００１７】
本発明の第６の態様は、第５の態様において、前記２本一組の線状部材の一方は、前記記録ヘッドと前記プラテンとが対向する方向において、他方と異なる位置に設けられていることを特徴とする。  
本発明の第６の態様によれば、第５の態様と同様の作用効果に加え、前記２本一組の線状部材の一方は、前記記録ヘッドと前記プラテンとが対向する方向において、他方と異なる位置に設けられている。従って、被記録媒体が前記線状部材と接触したときの接触面積を、前記記録ヘッドと前記プラテンとが対向する方向において、２本が同じ位置の設けられている場合の接触面積と比較して、小さくすることができる。その結果、前記線状部材は、被記録媒体が該線状部材と接触することによって汚損される虞を、より一層低減することができる。
【００１８】
また、前記記録ヘッドに近い方の前記線状部材における前記記録ヘッド側の外周から、付着したインクを、前記対向する方向において他方と同位置に設けられた場合と比較して、より遠くへ移動させることができる。
【００１９】
本発明の第７の態様の液体噴射装置は、被液体噴射媒体が載置される載置部と、載置された被液体噴射媒体を給送する給送部と、該給送部から給送された被液体噴射媒体に液体噴射ヘッドにより液体を噴射する液体噴射部と、被液体噴射媒体を排出する排出部と、を備えた液体噴射装置であって、前記液体噴射部は、前記液体噴射ヘッドと対向し、搬送される被液体噴射媒体を支持するプラテンと、該プラテン内に設けられ、液体を吸収可能な液体吸収材と、前記プラテン内であって、搬送方向において、前記液体噴射ヘッドに形成されたノズル開口列の範囲内に形成され、前記液体噴射ヘッドと前記プラテンとが対向する方向において、前記液体吸収材より前記液体噴射ヘッド側へ突出する第１リブと、前記プラテン内であって、前記第１リブと搬送方向において離間する第２リブと、前記液体噴射ヘッドと前記プラテンとが対向する方向において、前記液体吸収材と前記第１リブの頂部との間に位置し、搬送方向において、前記第１リブと前記第２リブとの間に延設された線状部材と、を備えていることを特徴とする。
【００２０】
本発明の第８の態様の液体噴射装置は、被液体噴射媒体が載置される載置部と、載置された被液体噴射媒体を給送する給送部と、該給送部から給送された被液体噴射媒体に液体噴射ヘッドにより液体を噴射する液体噴射部と、被液体噴射媒体を排出する排出部と、を備えた液体噴射装置であって、前記液体噴射部は、前記液体噴射ヘッドと対向し、搬送される被液体噴射媒体を支持するプラテンと、該プラテン内に設けられ、液体を吸収可能な液体吸収材と、前記プラテン内であって、搬送方向において、前記液体噴射ヘッドに形成されたノズル開口列の範囲内に形成され、前記液体噴射ヘッドと前記プラテンとが対向する方向において、前記液体吸収材より前記液体噴射ヘッド側へ突出する第１リブと、前記プラテン内であって、前記第１リブと搬送方向において離間する第２リブと、前記プラテン内であって、前記第１リブと搬送方向において離間する第３リブと、前記液体噴射ヘッドと前記プラテンとが対向する方向において、前記液体吸収材と前記第１リブの頂部との間に位置し、搬送方向において、前記第３リブと前記第２リブとの間に延設された線状部材と、を備えていることを特徴とする。
【発明を実施するための最良の形態】
【００２１】
以下、本発明の実施の形態を図面に基づいて説明する。  
図１に示すのは、本発明に係る液体噴射装置の一例である記録装置の概略を示す全体斜視図である。また、図２に示すのは、本発明に係る記録装置の概略を示す全体平面図である。  
記録装置１００の本体の背面側には、被記録媒体としての用紙Ｐが載置・積層される載置部１４５のホッパ１０１が、給送部１４４の後述する給送ローラ１９０に対して接離移動可能に設けられている。具体的には、ホッパ１０１は、載置される用紙Ｐの幅方向Ｘに一対、ホッパ１０１の上方に設けられたホッパ軸（図示せず）を支点に揺動するように設けられている。
【００２２】
そして、ホッパ１０１の最上位に載置された用紙Ｐは、給送部１４４によって、搬送方向下流側である記録部側へ給送される。具体的には、載置された用紙Ｐは、給送用モータ１０４によって駆動する給送ローラ１９０により、左右の用紙ガイド１０３、１０３に案内されながら搬送方向Ｙの下流側の搬送ローラ対２０７（図３および図４参照）へと給送される。搬送ローラ対２０７（図３および図４参照）まで給送された用紙Ｐは、搬送用モータ（図示せず）によって駆動する搬送ローラ対２０７（図３および図４参照）により、さらに搬送方向Ｙの下流側の記録部１４３へと搬送される。
【００２３】
液体噴射部の一例である記録部１４３は、用紙Ｐを下方から支持するプラテン１０５と、プラテン１０５の上方に対向するように設けられたキャリッジ１０７とによって構成される。そのうち、キャリッジ１０７は、搬送される用紙Ｐの幅方向Ｘである主走査方向へ延びたキャリッジガイド軸（図示せず）に案内されながらキャリッジモータ１０２によって駆動する。さらに、キャリッジ１０７の底面部には、用紙Ｐへ向かって液体の一例であるインクを吐出する液体噴射ヘッドの一例である記録ヘッド１０６が設けられている。記録部１４３で記録された用紙Ｐは、さらに下流側へと搬送され排出部１４６としての排出ローラ対２１０（図４参照）によって記録装置１００の正面側から排出される。
【００２４】
また、記録装置１００の本体の下方には、インクカートリッジ（図示せず）が装填され、インク供給針（図示せず）を介してインク供給路（図示せず）へとインクが供給される。さらに、インクは、インク供給チューブ１１０を介してキャリッジ１０７の記録ヘッド１０６まで供給される。そして、記録ヘッド１０６のフラッシング時、およびクリーニング時には、１桁側に設けられ、記録部１４３の吐出特性を維持する吐出特性維持部としてのインク吸引装置２００においてインクの吐出・吸引動作が行われる。インク吸引装置２００は、キャップ部２０４を備え、キャップ部２０４を上下方向へ移動させて記録ヘッド１０６を封止することができるように構成されている。
【００２５】
図３に示すのは、本発明に係る記録部のプラテンの概略を示す斜視図である。また、図４に示すのは、本発明に係る記録部のプラテンの概略を示す側断面図である。またさらに、図５に示すのは、本発明に係る線状部材を示す要部拡大正面断面図である。  
尚、図５は、後述する上流側リブと中央リブとの間において、搬送方向上流側へ向かって視た断面図である。
【００２６】
図３から図５に示す如く、記録部１４３には、プラテン１０５を形成するプラテン基体部２２０が設けられている。プラテン基体部２２０は、搬送ローラ対２０７を回動可能に保持するように設けられている。搬送ローラ対２０７は、搬送用モータの動力によって駆動する搬送駆動ローラ２０８と、搬送駆動ローラ２０８の回動に従って回動する複数の搬送従動ローラ２０９、２０９…と、を有する。
【００２７】
また、プラテン基体部２２０は、排出ローラ対２１０を回動可能に保持するように設けられている。排出ローラ対２１０は、ギアユニット２０６によって搬送用モータの動力が伝達され駆動する排出駆動ローラ２１１と、排出駆動ローラ２１１の回動に従って回動する複数の排出従動ギザローラ２１２、２１２…と、を有する。  
またさらに、プラテン基体部２２０には、幅方向Ｘに複数の上流側リブ２２２、２２２…と、複数の中央リブ２２３、２２３…と、複数の下流側リブ２２４、２２４…と、が形成されている。
【００２８】
そして、搬送方向Ｙにおいて、プラテン基体部２２０の複数の上流側リブ２２２、２２２…と、複数の下流側リブ２２４、２２４…との間には、凹部２２１が設けられている。凹部２２１には、記録ヘッド１０６に設けられたノズル開口列２０５から打ち捨てられたインクを吸収することができる液体吸収材の一例であるインク吸収材２２５が配設されている。
【００２９】
ここで、ノズル開口列２０５は、搬送方向Ｙにおいて、上流側リブ２２２、２２２…における搬送方向Ｙの下流端と、下流側リブ２２４、２２４…における搬送方向上流端との間より一回り狭い範囲に形成されている。即ち、ノズル開口列２０５は、搬送方向Ｙにおいて、凹部２２１の範囲内に形成されている。さらに言い換えると、ノズル開口列２０５から吐出されたインクが、搬送方向Ｙにおいて凹部２２１の外側へ飛散しないように構成されている。
【００３０】
また、凹部２２１は、中央リブ２２３、２２３…が上流側リブ２２２、２２２…および下流側リブ２２４、２２４…と離間するように設けられている。そして、中央リブ２２３、２２３…は、搬送方向Ｙにおいて記録ヘッド１０６のノズル開口列２０５が形成された範囲内に設けられている。  
またさらに、中央リブ２２３、２２３…は、数種の所定のサイズの用紙Ｐを、幅方向Ｘの両側側端の内側を下方から支持することができる位置に複数配設されている。
【００３１】
そして、プラテン１０５の幅方向Ｘにおいて、数種の所定サイズの用紙Ｐの両側側端の外側近傍は、凹部２２１が形成されインク吸収材２２５が配設されている。  
即ち、縁無し記録を実行した際、所定サイズの用紙Ｐの幅方向Ｘの両側側端の外側に吐出されたインクが、インク吸取材に吸収されるように、中央リブ２２３、２２３…は、幅方向Ｘに分断して設けられている。
【００３２】
また、中央リブ２２３、２２３…と下流側リブ２２４、２２４…との間には、幅方向Ｘにおいて、用紙Ｐが搬送される全ての範囲に凹部２２１が形成されている。従って、用紙Ｐの先端（搬送方向下流端）が、搬送方向Ｙにおいて、中央リブ２２３、２２３…と下流側リブ２２４、２２４…との間に到達したとき、用紙Ｐの先端に対してノズル開口列２０５からインクを吐出することにより、用紙Ｐの先端について縁無し記録を実行することができる。
【００３３】
同様に、搬送方向Ｙにおける上流側リブ２２２、２２２…と中央リブ２２３、２２３…との間には、幅方向Ｘにおいて、用紙Ｐが搬送される全ての範囲に凹部２２１が形成されている。従って、用紙Ｐの後端（搬送方向上流端）が、搬送方向Ｙにおいて、上流側リブ２２２、２２２…と中央リブ２２３、２２３…との間に到達したとき、用紙Ｐの後端に対してノズル開口列２０５からインクを吐出することにより、用紙Ｐの後端について縁無し記録を実行することができる。
【００３４】
またさらに、中央リブ２２３、２２３…の搬送方向上流側には、第１傾斜部２２３ａ、２２３ａ…が設けられている。第１傾斜部２２３ａ、２２３ａ…は、搬送方向上流側に向かうに従って、記録ヘッド１０６とプラテン１０５とが対向する方向Ｚにおいて、記録ヘッド１０６から離間するように傾斜している。  
同様に、下流側リブ２２４、２２４…の搬送方向上流側には、第２傾斜部２２４ａ、２２４ａ…が設けられている。第２傾斜部２２４ａ、２２４ａ…も、搬送方向上流側に向かうに従って、記録ヘッド１０６とプラテン１０５とが対向する方向Ｚにおいて、記録ヘッド１０６から離間するように傾斜している。
【００３５】
また、凹部２２１における幅方向Ｘにおいて、数種の所定のサイズの用紙Ｐの両側側端の内側近傍には、２本一組の線状部材２３０、２３０が搬送方向Ｙに複数組だけ延設されている。即ち、線状部材２３０、２３０…は、いくつかの種類の用紙Ｐに対して幅方向Ｘに複数組設けられている。線状部材２３０、２３０の一端は、プラテン基体部２２０の上流側リブ２２２、２２２…の下流側の第１係合部２４０（図４参照）と強固に係合し、他端は、下流側リブ２２４、２２４…の上流側の第２係合部２４１（図４参照）と強固に係合するように設けられている。即ち、線状部材２３０、２３０は、凹部２２１のインク吸収材２２５の上面を橋渡しするように設けられている。
【００３６】
そして、記録ヘッド１０６とプラテン１０５とが対向する方向Ｚにおいて、線状部材２３０、２３０は、中央リブ２２３、２２３…の頂部２２３ｂ、２２３ｂ…と、インク吸収材２２５との間に設けられている。さらに、前記対向する方向Ｚにおいて、線状部材２３０、２３０における記録ヘッド側の外周面２３０ａの位置は、下流側リブ２２４、２２４…の第２傾斜部２２４ａ、２２４ａ…の搬送方向上流端の位置より、記録ヘッド側となるように構成されている。
【００３７】
またさらに、前記対向する方向Ｚにおいて、線状部材２３０、２３０における記録ヘッド側の外周面２３０ａの位置は、中央リブ２２３、２２３…の第１傾斜部２２３ａ、２２３ａ…の搬送方向上流端の位置より、記録ヘッド側となるように構成されている。  
また、２本一組の線状部材２３０、２３０は、前記対向する方向Ｚにおいて、２本とも同じ位置に設けられている。そして、２本一組の線状部材２３０、２３０は、互いに隣接するように設けられている。
【００３８】
続いて、２本一組の線状部材２３０、２３０の作用効果について説明する。  
図４に示す如く、用紙Ｐが搬送されると、記録ヘッド１０６のノズル開口列２０５からインクが吐出される。このとき、用紙Ｐの先端はインクの重量によってインク吸収材側へ下がる傾向がある。特にコシの弱い用紙Ｐの場合、該傾向が強い。そして、下がった用紙Ｐの先端は、２本一組の線状部材２３０、２３０と接触する。従って、線状部材２３０、２３０は、用紙Ｐがインク吸収材２２５と接触することを防止することができる。
【００３９】
続いて、用紙Ｐがさらに搬送されると、２本一組の線状部材２３０、２３０は、用紙Ｐの先端を、インク吸収材２２５と接触させることなく、第２傾斜部側へ案内することができる。ここで、前述したように、前記対向する方向Ｚにおいて、線状部材２３０、２３０における記録ヘッド側の外周面２３０ａの位置は、下流側リブ２２４、２２４…の第２傾斜部２２４ａ、２２４ａ…の上流端の位置より、記録ヘッド側となるように構成されている。
【００４０】
従って、２本一組の線状部材２３０、２３０は、用紙Ｐの先端を、第２傾斜部２２４ａ、２２４ａ…の傾斜面へ案内することができる。即ち、２本一組の線状部材２３０、２３０は、用紙Ｐの先端が中央リブ２２３、２２３…と下流側リブ２２４、２２４…との間の凹部２２１に引っ掛かることを防止することができる。その結果、用紙Ｐの先端がプラテン１０５の凹部２２１に引っ掛かる紙詰まりによる記録装置１００が停止する所謂、ジャムが発生する虞がない。
【００４１】
ここで、線状部材２３０、２３０は、非常に細い線である。従って、縁無し記録のためインクが凹部２２１に打ち捨てられた場合であっても、線状部材２３０、２３０に着弾するインクの量は極僅かである。その結果、線状部材２３０、２３０が用紙Ｐと接触した場合であっても、用紙Ｐの裏側に付着するインクの量は殆ど無に近い。即ち、用紙Ｐの裏側が汚損される虞は殆どない。
【００４２】
また、用紙Ｐがインクに塗れることによって、カールが生じる傾向がある。具体的には、用紙Ｐの記録ヘッド側の面である表面が、インクによって膨張するので、凸状に反る傾向がある。そして、特に、用紙Ｐの先端の幅方向Ｘの両側側端が、インク吸収材側へ下がる傾向がある。このような場合であっても、２本一組の線状部材２３０、２３０は、幅方向Ｘにおいて、用紙Ｐの幅方向Ｘの両側側端の内側近傍に配設されているので、用紙Ｐの先端の両側側端を、下流側リブ２２４、２２４…の第２傾斜部２２４ａ、２２４ａ…の傾斜面へ案内することができる。
【００４３】
またさらに、線状部材２３０、２３０は、前記対向する方向Ｚにおいて同じ位置、即ち、同じ高さに２本一組に互いに隣接するように設けられている。従って、線状部材２３０、２３０における記録ヘッド側の外周面２３０ａにインク滴Ｌ１が着弾した場合であっても、隣接する線状部材２３０、２３０の間に作用する所謂、毛細管現象によって、前記インク滴Ｌ１を２本一組の線状部材２３０、２３０の間に移動させることができる。
【００４４】
即ち、前記インク滴Ｌ１を、線状部材２３０、２３０における記録ヘッド側の外周面２３０ａから退避するように移動させることができる。その結果、線状部材２３０、２３０における記録ヘッド側の外周面２３０ａにインク滴がない状態にすることができる。即ち、用紙Ｐが線状部材２３０、２３０と接触した場合であっても、用紙Ｐが汚損される虞がない。
【００４５】
さらに、線状部材２３０、２３０は、強固に第１係合部２４０（図４参照）および第２係合部２４１（図４参照）と係合している。従って、線状部材２３０、２３０は、インク吸収材２２５を凹部２２１に保持することができる。このとき、線状部材２３０、２３０は、インク吸収材２２５における記録ヘッド側の面の位置を精度良く位置決めすることができる。即ち、ノズル開口列２０５からンク吸収材における記録ヘッド側の面までの距離を可能な限り短くして所謂、ミストが発生することを低減することができる。  
尚、線状部材２３０、２３０は、細いほどよい。直径１ｍｍ以下であることが望ましい。また、材質は金属製であることが望ましい。弾性部材であってもよい。例えば、棒状のばねであってもよい。係る場合、係合部を一箇所にすることが可能である。
【００４６】
以上、中央リブ２２３、２２３…と下流側リブ２２４、２２４…との間について説明したが、上流側リブ２２２、２２２…と中央リブ２２３、２２３…との間についても同様の作用効果を得ることができる。特に、ノズル開口列２０５の範囲が搬送方向Ｙに長尺な場合や、インクの吐出量が多い場合に有効である。  
また、線状部材２３０、２３０を、上流側リブ２２２、２２２…と下流側リブ２２４、２２４…との間において、橋渡しするように構成したが、上流側リブ２２２、２２２…と中央リブ２２３、２２３…との間のみ、または中央リブ２２３、２２３…と下流側リブ２２４、２２４…との間のみにおいて、橋渡しする構成であってもよい。
【００４７】
本実施形態の記録装置１００は、記録ヘッド１０６と対向し、搬送される被記録媒体の一例である用紙Ｐを支持するプラテン１０５と、プラテン内に設けられ、インクを吸収可能なインク吸収材２２５と、プラテン内であって、搬送方向Ｙにおいて、記録ヘッド１０６に形成されたノズル開口列２０５の範囲内に形成され、記録ヘッド１０６とプラテン１０５とが対向する方向Ｚにおいて、インク吸収材２２５より記録ヘッド側へ突出する第１リブである中央リブ２２３、２２３…と、プラテン内であって、中央リブ２２３、２２３…と搬送方向Ｙにおいて離間し、用紙Ｐを排出する排出部１４６へ案内する第２リブである下流側リブ２２４、２２４…と、記録ヘッド１０６とプラテン１０５とが対向する方向Ｚにおいて、インク吸収材２２５と中央リブ２２３、２２３…の頂部２２３ｂ、２２３ｂ…との間に位置し、搬送方向Ｙにおいて、中央リブ２２３、２２３…と下流側リブ２２４、２２４…との間に延設された線状部材２３０、２３０…と、を備えていることを特徴とする。
【００４８】
また、本実施形態の記録装置１００は、記録ヘッド１０６と対向し、搬送される用紙Ｐを支持するプラテン１０５と、プラテン内に設けられ、インクを吸収可能なインク吸収材２２５と、プラテン内であって、搬送方向Ｙにおいて、記録ヘッド１０６に形成されたノズル開口列２０５の範囲内に形成され、記録ヘッド１０６とプラテン１０５とが対向する方向Ｚにおいて、インク吸収材２２５より記録ヘッド側へ突出する第１リブである中央リブ２２３、２２３…と、プラテン内であって、中央リブ２２３、２２３…と搬送方向Ｙにおいて離間し、用紙Ｐを排出する排出部１４６へ案内する第２リブである下流側リブ２２４、２２４…と、プラテン内であって、中央リブ２２３、２２３…と搬送方向Ｙにおいて離間し、用紙Ｐを中央リブ２２３、２２３…側へ案内する第３リブである上流側リブ２２２、２２２…と、記録ヘッド１０６とプラテン１０５とが対向する方向Ｚにおいて、インク吸収材２２５と中央リブ２２３、２２３…の頂部２２３ｂ、２２３ｂ…との間に位置し、搬送方向Ｙにおいて、上流側リブ２２２、２２２…と下流側リブ２２４、２２４…との間に延設された線状部材２３０、２３０…と、を備えていることを特徴とする。
【００４９】
またさらに、本実施形態において、下流側リブ２２４、２２４…の搬送方向上流側には、搬送方向下流側に向かって徐々にインク吸収材側から記録ヘッド側へ隆起するように傾斜した傾斜部としての第２傾斜部２２４ａ、２２４ａ…が設けられ、線状部材２３０、２３０は、記録ヘッド１０６とプラテン１０５とが対向する方向Ｚにおいて、下流側リブ２２４、２２４…の第２傾斜部２２４ａ、２２４ａ…の搬送方向上流端と、中央リブ２２３、２２３…の頂部２２３ｂ、２２３ｂ…との間に設けられていることを特徴とする。
【００５０】
本実施形態において、線状部材２３０、２３０は、搬送される用紙Ｐの幅方向Ｘにおいて、いくつかの所定サイズの用紙Ｐの両側側端の内側に位置し、該両側側端を搬送方向下流側へ案内可能に設けられていることを特徴とする。  
また、本実施形態の線状部材２３０、２３０は、２本一組に隣接して設けられていることを特徴とする。
【００５１】
［他の実施形態１］  
図６に示すのは、他の実施形態１に係る線状部材を示す要部拡大正面断面図である。  
図６に示す如く、他の実施形態１の２本一組に隣接された線状部材３３０は、第１線状部材３３１および第２線状部材３３２から構成されている。そして、第１線状部材３３１は、記録ヘッド１０６とプラテン１０５とが対向する方向Ｚにおいて、第２線状部材３３２と異なる位置に設けられている。即ち、第１線状部材３３１は、前記対向する方向Ｚにおいて、第２線状部材３３２の位置に対してずらして設けられている。  
尚、その他の部材については、前述した実施形態と同じであるので、同じ符号を用いると共にその説明は省略する。
【００５２】
従って、前述したように用紙Ｐが下がって線状部材３３０と接触した場合、第１線状部材３３１のみが用紙Ｐと接触する。即ち、前述した実施形態と比較して、前述したインク滴の退避移動の作用効果を保持したまま、用紙Ｐと線状部材３３０との接触面積を半減させることができる。その結果、線状部材３３０に着弾した直後のインク滴が、用紙Ｐを汚損する虞を低減することができる。
【００５３】
また、前述した実施形態と比較して、前述したインク滴を、第１線状部材３３１における記録ヘッド側の外周面３３１ａからより離間させることができる。その結果、退避させたインク滴Ｌ２が、用紙Ｐと接触することをより確実に防止することができる。  
またさらに、第１線状部材３３１および第２線状部材３３２の位置をずらしたことによって、それぞれ異なる役割を果たすことができる。第１線状部材３３１は、用紙Ｐがインク吸収材２２５と接触することを防止することができる。一方、第２線状部材３３２は、インク吸収材２２５の位置を規制することができる。
【００５４】
そして、第１線状部材３３１および第２線状部材３３２が２本一組になることで、着弾したインク滴を前述したように退避移動させることができる。このとき、前述したように退避したインク滴Ｌ２を前述した実施形態と比較してより退避させることができる。  
他の実施形態１において、２本一組の線状部材３３０の一方である第１線状部材３３１は、記録ヘッド１０６とプラテン１０５とが対向する方向Ｚにおいて、他方である第２線状部材３３２と異なる位置に設けられていることを特徴とする。
【００５５】
尚、線状部材は、被記録部材としての用紙Ｐとの接触する部位が点接触または線接触する形状で、毛細管現象が働く僅か隙間を備え、インク吸収部材における記録ヘッド側の面の位置を位置決めできるものであればよい。係る場合、同等の効果が期待できる。例えば、線状部材２３０は薄い金属板を２枚重ねた部材でも、被記録媒体の搬送方向に複数の線状部材でも、同等の効果が得られることは言うまでもない。  
また、線状部材の断面形状が円形に限らないのは勿論である。多角形であってもよい。
【００５６】
［他の実施形態２］  
図７に示すのは、他の実施形態２に係る記録部のプラテンの概略を示す斜視図である。  
図７に示す如く、プラテン１０５の凹部２２１には、インク吸収材４００として第１インク吸収材４０１および第２インク吸収材４０２、４０２…が設けられている。そして、第２インク吸収材４０２、４０２…は、記録ヘッド１０６とプラテン１０５とが対向する方向Ｚにおいて、第１インク吸収材４０１から記録ヘッド側へ僅かに突出して設けられている。具体的には、第２インク吸収材４０２、４０２…は、凹部２２１の底部（下方）から第１インク吸収材４０１を貫通して記録ヘッド側へ突出している。
【００５７】
ここで、第１インク吸収材４０１は、インクが浸透する特性の材質の一例としてのスポンジによって形成されている。一方、第２インク吸収材４０２、４０２…は、インクを保持する特性の材質の一例としてのベルイータによって形成されている。  
そして、第２インク吸収材４０２、４０２…の突出した部分４０２ａ、４０２ａ…は、搬送方向Ｙに延設されている。該突出した部分４０２ａ、４０２ａ…を、前述した実施形態の線状部材２３０と同様に設けることによって、用紙Ｐが第１インク吸収材４０１と接触することを防止することができる。
【００５８】
即ち、用紙Ｐが前記対向する方向Ｚにおいて下がった場合、第２インク吸収材４０２、４０２…の突出した部分４０２ａ、４０２ａ…が、用紙Ｐと接触することによって、用紙Ｐが第１インク吸収材４０１と接触することを防止することができる。突出した部分４０２ａ、４０２ａ…は、前述した実施形態の線状部材２３０と同様の作用効果を得ることが可能である。  
尚、第２インク吸収材４０２、４０２…は、インクの保持力が強いので、第２インク吸収材４０２、４０２…と用紙Ｐとが接触した場合であっても、用紙Ｐが汚損される虞がない。
【００５９】
また、第２インク吸収材４０２、４０２…の突出した部分４０２ａ、４０２ａ…は、幅方向Ｘにおいて、前述した実施形態の線状部材２３０と同じ位置に設けられている。  
またさらに、第２インク吸収材４０２、４０２…の突出した部分４０２ａ、４０２ａ…は、搬送方向Ｙにおいて、上流側リブ２２２、２２２…の下流側から下流側リブ２２４、２２４…の上流側まで延設して設けることが可能である。  
係る場合、前述した実施形態の線状部材２３０と同様の作用効果を得ることが可能である。  
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６０】
【図１】本発明に係る記録装置の概略を示す全体斜視図。
【図２】本発明に係る記録装置の概略を示す全体平面図。
【図３】本発明に係る記録部のプラテンの概略を示す斜視図。
【図４】本発明に係る記録部のプラテンの概略を示す側断面図。
【図５】本発明に係る線状部材を示す要部拡大正面断面図。
【図６】他の実施形態１に係る線状部材を示す要部拡大正面断面図。
【図７】他の実施形態２に係る記録部のプラテンの概略を示す斜視図。
【符号の説明】
【００６１】
１００  記録装置、１０１  ホッパ、１０２  キャリッジモータ、１０３  用紙ガイド、
１０４  給送用モータ、１０５  プラテン、１０６  記録ヘッド、１０７  キャリッジ、
１１０  インク供給チューブ、１４３  記録部、１４４  給送部、１４５  載置部、
１４６  排出部、１９０  給送ローラ、２００  インク吸引装置、２０４  キャップ部、
２０５  ノズル開口列、２０６  ギアユニット、２０７  搬送ローラ対、
２０８  搬送駆動ローラ、２０９  搬送従動ローラ、２１０  排出ローラ対、
２１１  排出駆動ローラ、２１２  排出従動ギザローラ、２２０  プラテン基体部、
２２１  凹部、２２２  上流側リブ、２２３  中央リブ、２２３ａ  第１傾斜部、
２２３ｂ  頂部、２２４  下流側リブ、２２４ａ  第２傾斜部、２２５  インク吸収材、
２３０  線状部材、２３０ａ  記録ヘッド側の外周面、２４０  第１係合部、
２４１  第２係合部、３３０  （他の実施形態１の）線状部材、３３１  第１線状部材、
３３１ａ  記録ヘッド側の外周面、３３２  第２線状部材、
４００  （他の実施形態２の）インク吸収材、４０１  第１インク吸収材、
４０２  第２インク吸収材、４０２ａ  突出した部分、Ｌ１  インク滴、
Ｌ２  （他の実施形態１の）退避させたインク滴、Ｐ  用紙、Ｘ  （用紙の）幅方向、
Ｙ  搬送方向、Ｚ  （記録ヘッドとプラテンとが）対向する方向
【図１】
2008246750.tif 000003
【図２】
2008246750.tif 000004
【図３】
2008246750.tif 000005
【図４】
2008246750.tif 000006
【図５】
2008246750.tif 000007
【図６】
2008246750.tif 000008
【図７】
2008246750.tif 000009